(57)【特許請求の範囲】
【請求項１】
端子を収容する端子収容ハウジングと、
前記端子収容ハウジングに一体化され、前記端子に接続される電線を収容する電線収容ハウジングと、
前記電線収容ハウジングの背面開口部を閉蓋し、前記電線収容ハウジングにヒンジ部を介して開閉自在に設けられたカバーとを備え、
前記カバーの内面に、前記電線収容ハウジングの電線収容室内に突出する電線位置ずれ防止部を設け、
前記電線位置ずれ防止部を、前記電線が前記電線収容室の開口端部側へ引っ張られたときに前記電線収容室の内壁面に当接させて、前記カバーが開くのを阻止するように構成してある
ことを特徴とするコネクタ。
【請求項２】
前記電線収容室が複数独立して設けられ、その内の外側の電線収容室に突出するように前記電線位置ずれ防止部が設けられていることを特徴とする請求項１記載のコネクタ。
【請求項３】
前記電線収容室が複数独立して設けられ、各電線収容室にそれぞれ突出するように前記電線位置ずれ防止部が設けられていることを特徴とする請求項１記載のコネクタ。
【発明の詳細な説明】
【０００１】
【発明の属する技術分野】
本発明は、コネクタに関し、詳細には、ハウジング形状を複雑にすることなくハウジングとカバーとの間に電線が嵌り込むのを防止して電線を保護すると共にカバーがハウジングから外れるのを防止することのできるコネクタを提供することにある。
【０００２】
【従来の技術】
例えば、実開昭６３−５４２８３号公報には、端子が接続されてなる電線を収容する電線収容ハウジングの背面開口部を閉蓋するカバーが取り付けられたコネクタが提案されている。
【０００３】
かかるコネクタは、図７及び図８に示すように、端子１０１を収容する端子収容ハウジング１０２と、この端子収容ハウジング１０２に一体化される電線収容ハウジング１０３と、該電線収容ハウジング１０３の背面開口部１０４を閉蓋するカバー１０５とからなる。
【０００４】
上記端子収容ハウジング１０２は、図７に示すように、例えば射出成形によってハウジングにソリ・ヒケなどが生じないように、いわゆる肉盗みとしてハウジング変形防止用空間部１０６をその中心部に有すると共に、そのハウジング変形防止用空間部１０６の上側、左側及び右側にそれぞれ独立した端子収容部１０７、１０７、１０７を有した凸形状をなすブロックとして形成されている。そして、それぞれの端子収容部１０７、１０７、１０７には、相手端子（雄端子）を挿入させる端子挿入口１０８、１０８、１０８が形成され、その端子挿入口１０８、１０８、１０８から相手端子を挿入させて各端子収容部１０７、１０７、１０７に収容するようにしている。
【０００５】
上記電線収容ハウジング１０３は、図７に示すように、各端子１０１に接続された電線１０９を収容する電線収容室１１０をそれぞれ有し、上記端子収容ハウジング１０２に一体化されている。かかる電線収容ハウジング１０３は、背面が開口された背面開口部１０４を有した矩形ブロックとして形成され、前記背面開口部１０４を閉蓋して電線収容室１１０を保護する後述のカバー１０５を取り付ける係止突起１１１、１１１をその両側壁面及び上端面に有している。
【０００６】
上記カバー１０５は、図７に示すように、上記電線収容ハウジング１０３の背面開口部１０４を覆って上記電線収容室１１０を保護するもので、電線収容ハウジング１０３に対してヒンジ部１１２を介して開閉自在とされている。このカバー１０５には、上記電線収容ハウジング１０３の係止突起１１１に係合する係合孔部１１３が形成された係止枠部１１４が、上記各係止突起１１１に対向する位置にそれぞれ形成されている。上記係止枠部１１４の係合孔部１１３に、上記電線収容ハウジング１０３の係止突起１１１が係合することで、上記カバー１０５が上記背面開口部１０４を閉蓋するようにして上記電線収容ハウジング１０３に装着されロックされる。
【０００７】
このように構成されたコネクタによれば、カバー１０５を閉めて背面開口部１０４を閉蓋することで、電線収容室１１０に収容された電線１０９の取り出し方向が規制され、各電線１０９が絡み合うようなことが防止される。
【０００８】
【発明が解決しようとする課題】
しかし、上記構成のコネクタでは、例えば相手コネクタとの嵌合時等において不可抗力により電線１０９が引っ張られた場合、図８に示すように、電線収容ハウジング１０３とカバー１０５との間に電線１０９が嵌り込み、該電線１０９を傷付けてしまうことがある。時には、上記係止突起１１１と上記係止枠部１１４との係合が外れてカバー１０５が開いてしまうこともある。
【０００９】
そこで本発明は、上述の課題を解決するために提案されたものであり、ハウジング形状を複雑にすることなくハウジングとカバーとの間に電線が嵌り込むのを防止して電線の保護及びカバーのハウジングからの外れを防止することのできるコネクタを提供することにある。
【００１２】
【課題を解決するための手段】
上記の課題を解決するために、請求項１に係るコネクタは、端子を収容する端子収容ハウジングと、前記端子収容ハウジングに一体化され、前記端子に接続される電線を収容する電線収容ハウジングと、前記電線収容ハウジングの背面開口部を閉蓋し、前記電線収容ハウジングにヒンジ部を介して開閉自在に設けられたカバーとを備え、前記カバーの内面に、前記電線収容ハウジングの電線収容室内に突出する電線位置ずれ防止部を設け、前記電線位置ずれ防止部を、前記電線が前記電線収容室の開口端部側へ引っ張られたときに前記電線収容室の内壁面に当接させて、前記カバーが開くのを阻止するように構成してあることを特徴とする。
【００１３】
カバーの内面に、電線収容室内に突出する電線位置ずれ防止部を設けたことにより、例え電線収容室に収容された電線が不可抗力によって引っ張られたとしても、前記電線位置ずれ防止部に該電線が接触し、当該電線の位置ずれが防止される。
また、電線位置ずれ防止部を、電線が電線収容室の開口端部側へ引っ張られたときに該電線収容室の内壁面に当接させて、カバーが開くのを阻止するように構成してあるので、不可抗力により上記カバーが開くことはない。
【００１４】
また、請求項２に係るコネクタは、請求項１記載のコネクタにおいて、前記電線収容室が複数独立して設けられ、その内の外側の電線収容室に突出するように前記電線位置ずれ防止部が設けられていることを特徴とする。
【００１５】
電線収容室が複数形成されている場合に、外側の電線収容室に突出するように電線位置ずれ防止部を設けているので、請求項１に係るコネクタ同様、不可抗力によりカバーが開くことはない。
【００１６】
また、請求項３に係るコネクタは、請求項１記載のコネクタにおいて、前記電線収容室が複数独立して設けられ、各電線収容室にそれぞれ突出するように前記電線位置ずれ防止部が設けられていることを特徴とする。
【００１７】
各電線収容室に突出するように電線位置ずれ防止部がそれぞれ設けられているので、不可抗力によりカバーが開いてしまうのをより一層確実に防止することができる。
【００１８】
【発明の実施の形態】
以下、本発明を適用した具体的な一実施形態について図面を参照しながら詳細に説明する。
【００１９】
本実施形態のコネクタは、ハウジング形状を複雑にすることなくハウジングとカバーとの間に電線が嵌り込むのを防止して電線の保護及びカバーのハウジングからのロック外れを防止することのできるようにしたものである。
【００２０】
＜コネクタの構成＞
本実施形態のコネクタは、図１及び図２に示すように、端子（図示は省略する）を収容する端子収容ハウジング１と、この端子収容ハウジング１に一体化され、端子に接続される電線を収容する電線収容ハウジング２と、電線収容ハウジング２の背面開口部３を閉蓋し、電線収容ハウジング２にヒンジ部４を介して開閉自在に設けられたカバー５とからなる。
【００２１】
『端子収容ハウジングの構成』
上記端子収容ハウジング１は、図１に示すように、絶縁樹脂材料からなる凸形状をなすブロックとして形成され、例えば射出成形によってハウジングにソリ・ヒケなどが生じないように、いわゆる肉盗みとしてハウジング変形防止用空間部６をその中心部に有すると共に、そのハウジング変形防止用空間部６の上側、左側及び右側にそれぞれ独立した端子収容部７、７、７を有しており、さらに相手コネクタとの嵌合前面１ａに相手端子を挿入させる端子挿入口８ｂを有している。
【００２２】
上記各端子収容部７、７、７には、端子（雌端子）を収容させる端子収容室（図示は省略する）が形成されている。これら各端子収容室には、上記端子が、上記電線収容ハウジング２の背面開口部３よりその内部に嵌入されて収容される。
【００２３】
上記端子挿入口８ｂは、図１に示すように、上記各端子収容室に対応した上記嵌合前面１ａに形成されており、該端子収容室と連通するようになされている。そして、この端子挿入口８ｂは、それぞれの端子収容室に収容された端子に嵌入装着される相手端子の外形状に応じた開口として、例えば横長の矩形状に形成されている。
【００２４】
なお、上記各端子収容部７にそれぞれ形成された各端子挿入口８ｂの近傍には、ランス部を形成するための肉盗みとなるランス形成用空間部８ａが形成されている。
【００２５】
『電線収容ハウジングの構成』
上記電線収容ハウジング２は、図１及び図２に示すように、各端子に接続された電線を収容する電線収容室９、１０、１１をそれぞれ有し、上記端子収容ハウジング１に一体化されている。かかる電線収容ハウジング２は、背面が開口された背面開口部３を有した矩形ブロックとして形成され、前記背面開口部３を閉塞してそれぞれの電線収容室９、１０、１１を保護する後述のカバー５をロックする係止突起１２をその両側壁面及び上端面に有している。
【００２６】
なお、図１では、一方の側壁面及び上端面に形成される係止突起１２、１２のみを示し、他方の側壁面に形成される係止突起１２は図示を省略してある。
【００２７】
上記電線収容室９、１０、１１は、図１に示すように、端子に接続された電線１３を収容するに足る空隙部を有し、それぞれ独立して設けられている。そして、上記背面開口部３が上記カバー５によって閉蓋されることにより、上記電線１３の取り出し方向が規制される。本実施形態では、電線収容室９、１０、１１を３つ形成し、その一つを残りの２つの電線収容室１０、１１と離れた位置に設け、これら２つの電線収容室１０、１１は仕切壁１４を介して隣接して設けている。
【００２８】
『カバーの構成』
上記カバー５は、図１及び図２に示すように、上記電線収容ハウジング２の背面開口部３を覆って上記電線収容室９、１０、１１を保護するもので、電線収容ハウジング２に対してヒンジ部４を介して開閉自在とされている。このカバー５には、上記電線収容ハウジング２の係止突起１２に係合する係合孔部１５が形成されたロック係止枠部１６が、上記各係止突起１２に対向する位置にそれぞれ形成されている。
【００２９】
上記ロック係止枠部１６の係合孔部１５に、上記電線収容ハウジング２の係止突起１２が係合することで、上記カバー５が上記電線収容ハウジング２にロックされる。このとき、上記電線収容ハウジング２の両側壁に形成された係止突起１２に係合されたロック係止枠部１６は、該電線収容ハウジング２に突設された一対のガイド部１７、１７の間に嵌り込む。これに対して、電線収容ハウジング２の上端面に形成された係止突起１２に係合されたロック係止枠部１６は、突設する左右の電線収容室９、１０、１１を構成するハウジング壁間に嵌り込む。
【００３０】
そして特に本実施形態では、図１ないし図３に示すように、上記カバー５の内面５ａに、上記電線収容ハウジング２の電線収容室９内に突出する電線位置ずれ防止部１８を設けてある。電線位置ずれ防止部１８は、図４に示すように、例えば相手コネクタとの嵌合時等において不可抗力により上記電線１３が上記電線収容室９の開口端部側へ引っ張られたときに、電線収容室９の内壁面９ａに当接するように形成されている。
【００３１】
すなわち、この電線位置ずれ防止部１８は、図１及び図３に示すように、電線収容室９内に突出する突条として縦長に形成されており、上記電線１３をその先端部１８ａで受け止めるようになっている。そして、この電線位置ずれ防止部１８には、上記電線収容室９の内壁面９ａと当接する、傾斜面として形成されたカバー開蓋防止用受け面部１８ｂが形成されている。
【００３２】
＜電線の嵌り込み防止機構＞
次に、上述のように構成されたコネクタにおける電線１３の嵌り込み防止機構について説明する。
【００３３】
図３に示すように、それぞれの端子が各端子収容部７、７、７に収容されると共に各端子に接続された電線１３が各電線収容室９、１０、１１に収容され、上記カバー５が電線収容ハウジング２に装着されてロックされた状態から、例えば図４に示すように、相手コネクタとの嵌合時等において不可抗力により上記電線１３が上記電線収容室９の開口端部側（矢印Ｆで示す電線１３が電線収容ハウジング２とカバー５の間に挟まれる方向）へ引っ張られた場合は、次のようになる。
【００３４】
図３の正常な収容状態から上記電線１３が図４中矢印Ｆ方向に引っ張られると、該電線１３が上記電線収容室９内に突出して設けられた電線位置ずれ防止部１８の先端部１８ａに接触し、該電線１３によって上記電線位置ずれ防止部１８が矢印Ｆ方向に押されて行く。これにより、カバー５の側縁部分が電線収容ハウジング２に対して離れ、上記電線収容ハウジング２とカバー５との間に僅かな隙間（電線１３が嵌り込むことの不可能な隙間）ができる。
【００３５】
しかし、上記隙間がそれほど生じない内に上記電線位置ずれ防止部１８のカバー開蓋防止用受け面部１８ｂが上記電線収容室９の内壁面９ａに当接し、上記カバー５の開きをそこでストップさせる。もちろん、カバー５に設けられたロック係止枠部１６と係止突起１２とが係合しているので、上記カバー５がそれ以上開くようなことはない。従って、ハウジング形状を複雑にすることなく、電線収容ハウジング２とカバー５との間に電線１３が嵌り込むのを確実に防止することができ、上記カバー５の開蓋動作を確実に防止できる。
【００３６】
このように、本実施形態のコネクタにおいては、カバー５の内面５ａに、電線収容室９内に突出する電線位置ずれ防止部１８を設けたことにより、電線収容室９に収容された電線１３が不可抗力によって引っ張られたとしても、前記電線位置ずれ防止部１８に該電線１３が接触し、当該電線１３の位置ずれを防止することができる。そして、その電線位置ずれ防止部１８を、上記電線１３が電線収容室９の開口端部側へ引っ張られたときに該電線収容室９の内壁面９ａに当接するように構成してあるので、上記カバー５の開蓋を防止することができ、それにより該電線１３の上記電線収容ハウジング２とカバー５間への嵌り込みを防止できる。
【００３７】
＜他の実施形態＞
以上、本発明を適用した具体的な一実施形態について説明したが、本発明は、上述の実施形態に制限されることなく種々の変更が可能である。
【００３８】
上述の実施形態では、複数個の電線収容室９、１０、１１の内、外側の電線収容室９に突出するように電線位置ずれ防止部１８を設けたが、図５に示すように、全ての電線収容室９、１０、１１に突出するように電線位置ずれ防止部１８をカバー５に設けるようにしてもよい。このようにすれば、電線１３がどの方向に引っ張られたとしてもカバー５が必要以上に開く（電線１３が電線収容ハウジング２とカバー５に挟まれない程度）ことを防止することができる。
【００３９】
また、上記電線位置ずれ防止部１８を各電線収容室９、１０、１１に二つ設け、それぞれの電線位置ずれ防止部１８、１８を上述した位置に設けるようにしてもよい。これに加えて、図６に示すように、これら電線位置ずれ防止部１８、１８同士を円弧状部１９で連結させ、その円弧状部１９内に電線１３を嵌入させるようにしてもよい。このようにすれば、電線１３がどのような方向に引っ張られたとしても、上記円弧状部１９に嵌り込むことになる。もちろん、この場合でも上記電線位置ずれ防止部１８が上記電線収容室９、１０、１１の内壁面９ａ、１０ａに当接して、上記電線収容ハウジング２とカバー５と間に電線１３が嵌り込むのを防止することができる。
【００４０】
【発明の効果】
本発明は、以上説明したような形態で実施され、以下に記載されるような効果を奏する。
【００４２】
請求項１記載のコネクタによれば、カバーの内面に、電線収容室内に突出する電線位置ずれ防止部を設けたことにより、例え電線収容室に収容された電線が不可抗力によって引っ張られたとしても、前記電線位置ずれ防止部に該電線が接触し、当該電線の位置ずれを防止することができる。このように、ハウジングを複雑な形状とすることなしに簡単な構成で電線の位置ずれを防止することができる。
また、本発明のコネクタによれば、電線位置ずれ防止部を、電線が電線収容室の開口端部側へ引っ張られたときに該電線収容室の内壁面に当接させて、カバーが開くのを阻止するように構成してあるので、上記カバーが開かず、上記電線収容ハウジングとカバーとの間に電線が嵌り込むのを防止することができる。従って、電線を傷付けたり、カバーの外れを防止できる。
【００４３】
請求項２記載のコネクタによれば、電線収容室が複数形成されている場合に、外側の電線収容室に突出するように電線位置ずれ防止部を設けているので、請求項１に係るコネクタ同様、不可抗力によりカバーが開くのを防止することができ、電線の嵌り込みを防止できる。
【００４４】
請求項３記載のコネクタによれば、各電線収容室に突出するように電線位置ずれ防止部がそれぞれ設けられているので、不可抗力によりカバーが開いてしまうのをより一層確実に防止することができ、電線の嵌り込みを防止できる。
【図面の簡単な説明】
【図１】本実施形態のコネクタの斜視図である。
【図２】本実施形態のコネクタを示すもので、カバーを開いた状態を示す側面図である。
【図３】本実施形態のコネクタを示すもので、電線収容室部分の要部拡大平面図である。
【図４】本実施形態のコネクタを示すもので、電線位置ずれ防止部が電線収容室の内壁面に当接した状態を示す要部拡大平面図である。
【図５】本実施形態のコネクタを示すもので、電線位置ずれ防止部を各電線収容室に対応して設けた例を示す電線収容室部分の要部拡大平面図である。
【図６】本実施形態のコネクタを示すもので、二つの電線位置ずれ防止部を各電線収容室に対応して設けた例を示す電線収容室部分の要部拡大平面図である。
【図７】従来のコネクタを示す分解斜視図である。
【図８】従来のコネクタにおいて、電線収容ハウジングとカバーとの間に電線が嵌り込んだ状態を示す斜視図である。
【符号の説明】
１  端子収容ハウジング
１ａ  嵌合前面
２  電線収容ハウジング
３  背面開口部
４  ヒンジ部
５  カバー
７  端子収容部
８ｂ  端子挿入口
９，１０，１１  電線収容室
１２  係止突起
１３  電線
１５  係合孔部
１６  ロック係止枠部
１８  電線位置ずれ防止部
【図１】
0003648405.tif 000002
【図２】
0003648405.tif 000003
【図３】
0003648405.tif 000004
【図４】
0003648405.tif 000005
【図５】
0003648405.tif 000006
【図６】
0003648405.tif 000007
【図７】
0003648405.tif 000008
【図８】
0003648405.tif 000009